(57)【要約】      （修正有）【課題】包装容器にある製品が素晴らしい発光効果を有し、発光体の発光をリアルタイムに制御でき、省エネで環境にやさしい省エネ型サイクル展示システムを提供する。【解決手段】陳列棚１、包装容器３及びフック２を備え、陳列棚に陳列ロッド１１が設けられ、フックと包装容器とが取り外し可能であり、フックの上部にフック設置部が設けられ、フックの下部に開口部があり、包装容器内に挿入され、フックの内部が中空構造であり、回路基板と発光体が設けられ、発光体と回路基板が接続されており、回路基板にワイヤーが設けられ、ワイヤーの端部にフック設置部の内面から突出する導電接点が設けられ、導電接点と陳列ロッドが接触し通路が形成され、回路基板に電源または外部電源に接続するためのポートが設けられている。フックと包装容器が取り外し可能なので、簡単に組み立てることができ、フックに発光体が内蔵され、電源投入後、導電接点と陳列ロッドとの接続により発光体を発光させる。【選択図】図１
0003209398.tif 000002
【実用新案登録請求の範囲】
【請求項１】
陳列棚、包装容器及びフックを備え、前記陳列棚に陳列ロッドが設けられ、前記フックと前記包装容器とが取り外し可能であり、フックの上部にフック設置部が設けられ、前記フックの下部に開口部があり、かつ、包装容器内に挿入され、前記フックの内部が中空構造であり、かつ、回路基板と発光体が設けられ、前記発光体と回路基板の回路が接続されており、前記回路基板にワイヤーが設けられ、ワイヤーの端部に前記フック設置部の内面から突出する導電接点が設けられ、前記導電接点と陳列ロッドが接触し通路が形成され、前記回路基板に電源または外部電源に接続するためのポートが設けられていることを特徴とする省エネ型サイクル展示システム。
【請求項２】
前記フックは対称なフックフロントケースとフックリアケース、添え板を備え、前記フックフロントケースの上面の両端の近くに半柱体が設けられ、前記半柱体の末端に半リミットブロックが設けられ、前記フックフロントケースとフックリアケースとが結合し中空の逆Ｔ字型構造のフックケースが形成され、前記フックケースの上面によって柱体が形成され、前記柱体の末端によってリミットブロックが形成され、前記添え板にリミットブロックに対応するリミット穴が設けられ、前記回路基板がフックフロントケースとフックリアケースとが結合した構造の内部に設けられ、前記発光体が回路基板の下部に設けられ、かつ、回路基板の回路に接続されていることを特徴とする請求項１に記載の省エネ型サイクル展示システム。
【請求項３】
前記発光体の底部に半透明の導光ケースが設けられ、前記導光ケースとフックケースの底部が接続されていることを特徴とする請求項１または２に記載の省エネ型サイクル展示システム。
【請求項４】
前記リミットブロックは円形のケーキ状または円錐形であり、底部が水平に外側に突出していることを特徴とする請求項１または２に記載の省エネ型サイクル展示システム。
【請求項５】
前記リミット穴は断面形状がリミットブロックと一致し、かつ、断面積がリミットブロックの断面積より若干小さいことを特徴とする請求項２に記載の省エネ型サイクル展示システム。
【請求項６】
前記包装容器は包装箱または包装袋であることを特徴とする請求項１に記載の省エネ型サイクル展示システム。
【請求項７】
回路基板と発光体はスイッチング回路で接続されており、スイッチはフックの外面に設けられていることを特徴とする請求項１に記載の省エネ型サイクル展示システム。
【考案の詳細な説明】
【技術分野】
【０００１】
本考案は展示装置に関し、特に省エネ型サイクル展示システムに関する。
【背景技術】
【０００２】
テレビ広告、屋外広告、インターネット、雑誌、新聞、自己メディアでの大規模な宣伝は、ブランドイメージを向上させるあらゆる可能性を含み、消費者に深く印象付けるために行われる。しかし、各種の広告が氾濫している今、広告そのものはマーケティングの中核になれない。また、オンラインショッピングは店頭販売に非常に大きな衝撃を与えた。オンラインショッピングによる価格戦争で各ブランドはその対応に苦しんでいる。それで、各ブランドは包装に焦点を当て始め、目新しい包装を通じて店頭で顧客を引きつけることに期待している。包装と展示の形は、製品販売のための静的メディアとして、あるブランドの製品が多くのブランドの中で目立つようになるキーポイントである。
【考案の概要】
【考案が解決しようとする課題】
【０００３】
しかしながら、製品が多く、深刻な均質化が現れ、展示の変化に乏しく、面積が大きな売り場に消費者が入ったときに、どのように彼らを引きつけるべきだろうか。現在、包装に関連する革新は材料、構造、パターン、表面技術に限られている。製品タイプや販売チャネルの制限で、これらのうわべの革新は千編一律でなんら新味がない。どのように従来の包装と現代の表現方法と結びつけるか、即ち、どのように包装と照明との調和を実現し、裏から外まで目新しい展示の効果を現すか、現在では包装デザインの重要な課題である。
【０００４】
本考案は、従来の課題を解決するためになれたものであって、省エネ型サイクル展示システムを提供することを目的とする。この展示システムは展示するとき、包装容器にある製品が素晴らしい発光効果を有する他、発光するか否かを制御でき、フックも繰り返し使用することができる。
【課題を解決するための手段】
【０００５】
上記の目的を達成するために、本考案に係る省エネ型サイクル展示システムは、陳列棚、包装容器及びフックを備え、陳列棚に陳列ロッドが設けられ、フックと包装容器とが取り外し可能であり、フックの上部にフック設置部が設けられ、フックの下部に開口部があり、かつ、包装容器内に挿入され、フックの内部が中空構造であり、かつ、回路基板と発光体が設けられ、発光体と回路基板の回路が接続されており、回路基板にワイヤーが設けられ、ワイヤーの端部にフック設置部の内面から突出する導電接点が設けられ、導電接点と陳列ロッドが接触し通路が形成され、回路基板に電源または外部電源に接続するためのポートが設けられる。
【０００６】
好ましくは、フックは対称なフックフロントケースとフックリアケース、添え板を備え、フックフロントケースの上面の両端の近くに半柱体が設けられ、半柱体の末端に半リミットブロックが設けられ、フックフロントケースとフックリアケースとが結合し中空の逆Ｔ字型構造のフックケースが形成され、フックケースの上面によって柱体が形成され、柱体の末端によってリミットブロックが形成され、添え板にリミットブロックに対応するリミット穴が設けられ、回路基板がフックフロントケースとフックリアケースとが結合した構造の内部に設けられ、発光体が回路基板の下部に設けられ、かつ、回路基板の回路に接続されている。
【０００７】
好ましくは、発光体の底部に半透明の導光ケースが設けられ、導光ケースとフックケースの底部が接続されている。
【０００８】
好ましくは、リミットブロックは円形のケーキ状または円錐形であり、底部が水平に外側に突出する。
【０００９】
好ましくは、リミット穴は断面形状がリミットブロックと一致し、かつ、断面積がリミットブロックの断面積より若干小さい。
【００１０】
好ましくは、包装容器は包装箱または包装袋である。
【００１１】
好ましくは、回路基板と発光体はスイッチング回路で接続されており、スイッチはフックの外面に設けられる。
【考案の効果】
【００１２】
本考案の良好な効果として、フックと包装容器が取り外し可能なので、簡単に組み立てることができ、フックに発光体が内蔵され、当該発光体が内部電源または外部電源で給電できる。電源投入後、導電接点と陳列ロッドとの接続で通路を形成することにより、発光体を発光させる。展示するとき、包装容器にある製品が素晴らしい発光効果を有し、かつ、外部電源で発光体の発光をリアルタイムに制御できる他、フックと陳列ロッドを分離させることで制御でき、省エネで環境にやさしい。フックは取り外して繰り返し使用できることに加え、日常の照明にも適用され、材料の無駄使いを避ける。
【図面の簡単な説明】
【００１３】
【図１】本考案に係る省エネ型サイクル展示システムの組立概略図である。
【図２】本考案に係るフックと包装容器の組立概略図である。
【図３】本考案に係るフックの分解図である。
【図４】本考案に係るフックフロントケースの内部構造図である。
【考案を実施するための形態】
【００１４】
以下、添付する図面を参照し本考案の実施形態についてさらに説明する。これらの実施形態についての説明は、本考案への理解を助けるためのもので、本考案を限定するものではない。また、以下で説明する本考案の各実施例における技術的特徴について、互いに矛盾しない限り、互いに組み合わせることができる。
【００１５】
本考案に係る省エネ型サイクル展示システムは、陳列棚１、包装容器３、及びフック２を備えている。陳列棚１には陳列ロッド１１が設けられ、フック２と包装容器３が取り外し可能である。そして、フック２が、対称なフックフロントケース２２とフックリアケース２１、添え板２４、回路基板２３及び発光体を備えている。それぞれ逆Ｔ字型構造であるフックフロントケース２２とフックリアケース２１が、結合してから中空で底部開口部のある半密閉構造のフックケースを形成している。フックケースの上部にフック設置部が設けられ、陳列ロッド１１をこのフック設置部に通すことにより、フックを陳列ロッド１１に掛ける。フックケースの下部は包装容器３に挿入され、回路基板２３と発光体は包装容器３にあるフックケースの内部に設置される。発光体と回路基板２３の回路が接続されている。また、回路基板２３にワイヤーが設けられ、ワイヤーがフックケースの内部に沿って上方に延び、かつ、フック設置部の内面から突出する箇所に導電接点が設けられる。導電接点が２つあり、それぞれフック設置部の内面の両端にある。陳列ロッド１１をフック設置部に通すとき、２つの導電接点と陳列ロッド１１の表面がくっつくようになり、回路基板２３と接続されている回路が通路を形成する。発光体を発光させるには、回路基板２３に内蔵電源を設けるか、外部電源に接続するためのポートを設けてもいい。電源投入後、フックにある２つの導電接点が陳列ロッド１１に接触することで通路が形成され、外部電源が発光体に給電できるようになる。
【００１６】
フックケースは対称に設置されているフックフロントケース２２とフックリアケース２１とが結合されて構成されている。フックフロントケース２２とフックリアケース２１の上面の末端の近くに半柱体２２１が設けられている。半柱体２２１に半リミットブロック２２２が設けられている。フックフロントケース２２とフックリアケース２１と対応する位置にある半柱体２２１が完全な柱体になるとともに、２つの半リミットブロック２２２も完全なリミットブロックになる。このリミットブロックは円形のケーキ状または円錐形、その他の形状であり、リミットブロックと柱体が接続されている箇所で水平に外側に突出し、添え板２４に柱体に対応するリミット穴２４１が設けられ、かつ、添え板２４の中央部にフックケースの上部が通せる棒状穴２４２が設けられる。
【００１７】
組み立てるとき、フックフロントケース２２とフックリアケース２１が結合したフックケースの上部を棒状穴２４２に通し、結合した柱体をリミット穴２４１に通す。リミットブロックにある、柱体と接続されている平面の面積が柱体の断面積より若干大きい。そのため、フックケースを押すと、リミットブロックをリミット穴２４１に通せる一方、力がなくなると、リミットブロックを通せない。リミットブロックは添え板２４に対し上下の位置を限定する役割を果たしている。リミット穴２４１は柱体につけるとき、添え板２４に対し左右の位置を限定する役割を果たしている。それにより、フックフロントケース２２とフックリアケース２１が連続して結合し、脱落しないことを確保する。
【００１８】
なお、フックケースの下部に開口部があり、光が放散しやすいので、開口部である発光体の底部に半透明の導光ケース２５が設けられ、この導光ケース２５がフックケースに挿入され、その側面とフックケースの内面が接続されており、その上面とフックケースの内面が粘着されているので、導光ケース２５を固定させることができる。一方、導光ケース２５は回路基板２３及び発光体に対し保護と支持の役割を果たしている。
【００１９】
陳列ロッド１にある包装容器３のリアルタイムなスイッチングを実現するために、フックケースの表面に回路スイッチが設けられている。このスイッチで回路基板２３に接続され、発光体の発光を制御できるので、陳列棚１にあるフックで発光体がずっと発光している状態を保つことによる電力の無駄遣いを避けられる。
【００２０】
本考案における包装容器３は包装箱や包装袋に限定されなく、その他の包装でもよい。フックとの取り外し可能な接続を実現し、かつ、発光体を包装容器３内に設置さえすればいい。
【００２１】
本考案は発光体の仕様について限定されなく、フックケース内に設置され、包装容器３に挿入されることができればいい。また、発光体のタイプについても限定されなく、この発光体はＬＥＤライトやその他の省エネランプであればいい。その他に、発光体は異なる輝度、異なる色であればいい。実施する過程では、必要に応じて選択できる。
【００２２】
以上は添付する図面を参照し本考案の実施形態について詳しく説明したが、本考案の好ましい実施形態のみであり、本考案を限定するものではない。当業者にとって、本考案の趣旨及び原則から逸脱しない場合、あらゆる変更、同等置換、改良等は、いずれも本考案の保護範囲内に属すべきである。
【符号の説明】
【００２３】
１  陳列棚
１１  陳列ロッド
２  フック
２１  フックリアケース
２２  フックフロントケース
２２１  半柱体
２２２  半リミットブロック
２３  回路基板
２４  添え板
２４１  リミット穴
２４２  棒状穴
２５  導光ケース
３  包装容器
【図１】
0003209398.tif 000003
【図２】
0003209398.tif 000004
【図３】
0003209398.tif 000005
【図４】
0003209398.tif 000006
【手続補正書】
【提出日】平成28年12月28日(2016.12.28)
【手続補正１】
【補正対象書類名】実用新案登録請求の範囲
【補正対象項目名】請求項４
【補正方法】変更
【補正の内容】
【請求項４】
前記リミットブロックは円形のケーキ状または円錐形であり、底部が水平に外側に突出していることを特徴とする請求項２に記載の省エネ型サイクル展示システム。